(57)【要約】    【課題】  流体の流出を容易かつ確実に行えると共に、生産しやすい吊下げ式定量注出パウチの提供。    【解決手段】  吊下げ式定量注出パウチ１は、流体の充填空間２ａを有するパウチ本体２の下端部に、充填空間２ａに連通孔６で連通した注出用空間３ａを有する注出部３を一体形成してなる。また、注出部３には、圧力が掛けられた流体のみを外部へ通過させる自己閉鎖性流出部５が設けられ、パウチ本体２と注出部３との境界部分には、充填空間２ａと注出用空間３ａとを連通させている連通孔６が設けられている。そして、注出部３外面の押圧および押圧解除で連通孔６の閉鎖および開放を行うことと、自己閉鎖性流出部５とにより、注出部３の注出用空間３ａにおいて、流体に圧力を掛けて送り出せるようにして、流体を容易かつ確実に外部へ流出させる。また、自己閉鎖性流出部５および連通孔６を設けるだけの簡単な構造で、流体を容易かつ確実に外部へ流出できる注出部３とし、吊下げ式定量注出パウチ１を生産しやすいものとする。【選択図】      図１
2006188278.tif 000002
【特許請求の範囲】
【請求項１】
表面側および裏面側となる合成樹脂フィルムの周辺を溶着して袋状にすることで、流体の充填空間を有するパウチ本体と、このパウチ本体の下端部に設けられており、前記流体を外部への流出させる注出部とを一体に形成していると共に、前記パウチ本体の上端部に吊下げ用取付け部を形成しており、
前記注出部は、その内部に、前記流体が外部への流出前に一旦流入する注出用空間が設けられていると共に、その下端部に、圧力が掛けられた流体のみを外部へ通過させる自己閉鎖性流出部が設けられており、
前記パウチ本体と前記注出部との境界部分には、前記充填空間と前記注出用空間とを連通させている連通孔が設けられていると共に、その連通孔は、上端の開口部が前記充填空間内となるように形成されていると共に、下端の開口部が前記注出用空間の上端よりも下方位置の注出用空間内となるように形成されており、
前記注出部の外面の押圧により、前記下端の開口部を塞いで前記連通孔を閉鎖し前記注出用空間内からの充填空間内への逆流を阻止すると共に、前記注出用空間内に入り込んでいた流体を圧迫して前記自己閉鎖性流出部から外部へ流出させるように構成しており、
前記注出部の外面の押圧の解除により、前記連通孔を開放して前記充填空間内の流体が自重で注出用空間内に流入するように構成していることを特徴とする吊下げ式定量注出パウチ。
【請求項２】
前記連通孔は、その上端の開口部を大口径としていると共に、その下端の開口部を小口径とした略漏斗状に形成されており、前記小口径とした下端の開口部は、前記注出部の外面を指先で摘まんで押圧した時に塞ぐことができる大きさに形成されていることを特徴とする請求項１記載の吊下げ式定量注出パウチ。
【請求項３】
前記連通孔は、前記パウチ本体および注出部との一体成形で形成していることを特徴とする請求項１または請求項２記載の吊下げ式定量注出パウチ。
【請求項４】
前記連通孔は、二枚の合成樹脂フィルムの周辺を溶着することで前記略漏斗状に形成した連通孔用部材を、前記パウチ本体の充填空間と前記注出部の注出用空間との境界部分に設けることで形成していることを特徴とする請求項１または請求項２記載の吊下げ式定量注出パウチ。
【請求項５】
前記連通孔は、前記注出部の注出用空間内において、注出部の前記表面側となる合成樹脂フィルムに上端を設けていると共に、注出部の前記裏面側となる合成樹脂フィルムに下端を設けている一枚の連通孔用フィルムと、注出部の裏面側となる合成樹脂フィルムとで形成しており、
前記連通孔用フィルムは、注出部の表面側となる合成樹脂フィルムに設ける上端が、前記パウチ本体の充填空間との境界部分に位置するようにして設けていることを特徴とする請求項１記載の吊下げ式定量注出パウチ。
【発明の詳細な説明】
【技術分野】
【０００１】
この発明は、例えば、シャンプー、リンス、ボディーソープ等の流体の容器として、風呂場などで吊下げて使用する吊下げ式定量注出パウチに関するものである。
【背景技術】
【０００２】
シャンプー、リンス、ボディーソープ等の液体の容器に用いるパウチ（袋体）としては、例えば、常時使用する容器（プラスチック製のボトル等）への詰替え用として用いるものが一般に知られている。
一方、近年では、ライフスタイルの変化により、お湯につかるよりもシャワーだけで済ますケースが増えてきており、座って体を洗っていた環境で、立った状態で洗剤が使い易いボトルの置き場所はその確保が難しい状況である。
そこで、近年では、壁につけたフックに吊り下げられるようにして設置スペースを確保すると共に、パウチの構成を常時使用できるものにすることで、洗剤を使いやすくし、シャワーによる入浴をしやすくすることが考えられている。即ち、詰替え用としてではなく、パウチを風呂場などでそのまま吊下げて使用するものが創案されてきている。例えば、流体包装袋（特開２００２−１９３２８２号公報）が知られている。
この吊下げ式のパウチは、パウチ本体の上端部に設けた吊り部と、パウチ本体の下端部に設けた注出部とを備えている。また、注出部には、流体（例えば、シャンプー等の液体であるが、以後、単に流体とする。）を圧迫した場合に外部へ流出し、圧迫しない限り流出しないようにできる自己閉鎖性流出部が設けられている。
そして、この吊下げ式のパウチを、例えば、風呂場に吊下げてシャワーを浴びながら使用する場合には、注出部の外面を指で摘まんで、上から下へ（パウチ本体側から自己閉鎖性流出部側の方向へ）移動させることで、即ち、注出部内に入り込んでいた流体がパウチ本体内へ逆流しないように注出部を「しごく」ことで、注出部内の流体（パウチ本体から入り込んでいた流体）を圧迫し自己閉鎖性流出部から流出させて使用することになる。
ところが、この「しごく」というものは、「注出部の外面を指で摘まむ動作」および「その摘まんだ状態で移動させる動作」という二段階の動作が必要になる。しかも、「流体を必要量流出させるのには思いのほか力が必要であったり、或いは、力を入れすぎると必要量以上に流体が飛び出してしまう」ことが考えられると共に、「強く摘まんで移動させるとパウチを吊り下げている部分が破損してしまう」ことが考えられるので、適度な強さの摘まみ具合が必要になる。
このように、「しごく」という動作は、単純でなく神経を使うものであるために、シャワーを浴びながら行うのは難しいと思われる。
従って、「しごく」という動作が必要な吊下げ式のパウチでは、シャワー浴びの動作を一時的に中断しなければ、注出部（自己閉鎖性流出部）からの流体の必要量の流出を確実には行えないと思われ、「洗剤を使いやすくしシャワーによる入浴をしやすくする」ものとしては、即ち、シャワーを浴びながら気楽に流体を使用できるようにするものとしては取り扱い性が悪いという問題が発生した。
なお、「パウチ本体から流入した流体のパウチ本体への逆流を阻止」する構成を予め注出部に付加しておけば、例えば、注出部内の流体に圧力をかけるための「押圧する」という単純な動作だけで、注出部からの必要量の流体の流出を容易に行えるようになり、前述した注出部を「しごく」という動作の必要をなくすことができる。
しかし、「流体のパウチ本体への逆流を阻止」する構成を注出部に付加するためには、一般的に、パウチ本体と注出部との境界部分に逆支弁を設ける必要がある等、パウチが複雑な構造になってしまうことが考えられる。そのため、この「流体のパウチ本体への逆流を阻止」する構成を予め注出部に付加しておく方式では、パウチが生産しにくく高価なものになってしまう、即ち、パウチが風呂場などで流体を気楽に使用するための容器としては高価なものになってしまう問題がある。
また、パウチ本体内の流体が注出部内に入り込む時には、流体の粘性が低い場合、その自重で、パウチ本体から下端部の注出部へ自然に流れ込むことを期待できるが、流体の粘性が高い場合、自重だけでは注出部に流れ込むのに時間がかかってしまう。
そこで、例えば、袋状弾性体の押圧した時の内部容量変化を利用し、その弾性体を介して、パウチ内部の流体を注出部内へ引き込む方式も考えられる。しかし、前述したように、流体の粘性が低い場合、注出部に流れ込むのには自重だけで充分であり、このパウチに弾性体を設けて利用する方式は、性能的に過剰品質であり、コストアップになるという問題が発生する。
【特許文献１】特開２００１−１９３２８２号公報
【発明の開示】
【発明が解決しようとする課題】
【０００３】
この発明が解決しようとする課題は、風呂場、洗面所、台所などではボトルの置き場所が充分にあるとはいえず、ボトルからパウチへの変換により、スペースを整理、確保すると同時に省資源を図ることであり、パウチの、流体注出時の「ボトルなみ」とする操作性の向上と、低コスト化を図ることである。
また、「前述したように、「しごく」という動作が必要で取り扱い性が悪く、必要量の流体を得ることが困難である」ことと、「前述したように、「しごく」という動作の必要をなくすべく、流体のパウチ本体への逆流を阻止する構成を予め注出部に付加しようとすると、複雑な構造になってしまいパウチが生産しにくく高価なものになってしまう」こととから、吊下げて使用できるようにした従来のパウチは、風呂場などで気楽に使用するための容器としては、非常に不便で高価なものになる傾向があり、実用性のないことである。
従って、この発明の目的は、流体の流出を容易かつ確実に行えると共に、生産しやすい吊下げ式定量注出パウチを提供することにある。
【課題を解決するための手段】
【０００４】
この発明の吊下げ式定量注出パウチ（請求項１の発明）では、表面側および裏面側となる合成樹脂フィルムの周辺を溶着して袋状にすることで、流体の充填空間を有するパウチ本体と、このパウチ本体の下端部に設けられており、前記流体を外部への流出させる注出部とを一体に形成していると共に、前記パウチ本体の上端部に吊下げ用取付け部を形成している。
また、注出部は、その内部に、流体が外部への流出前に一旦流入する注出用空間が設けられていると共に、その下端部に、圧力が掛けられた流体のみを外部へ通過させる自己閉鎖性流出部が設けられている。さらに、パウチ本体と注出部との境界部分には、充填空間と注出用空間とを連通させている連通孔が設けられていると共に、その連通孔は、上端の開口部が充填空間内となるように形成されていると共に、下端の開口部が注出用空間の上端よりも下方位置の注出用空間内となるように形成されている。
そして、この吊下げ式定量注出パウチでは、注出部の外面の押圧により、下端の開口部を塞いで連通孔を閉鎖し注出用空間内からの充填空間内への逆流を阻止すると共に、注出用空間内に入り込んでいた流体を圧迫して自己閉鎖性流出部から外部へ流出させるように構成している。また、注出部の外面の押圧の解除により、連通孔を開放して充填空間内の流体が自重で注出用空間内に流入するように構成している。
このようなこの発明の吊下げ式定量注出パウチによれば、流体が充填されているパウチ本体の下端部に一体形成した注出部を外面から押圧することおよびその押圧を解除することで、下端の開口部を塞いでの連通孔の閉鎖および押圧解除での連通孔の開放を行うことにより、注出部の注出用空間内に入り込んでいた流体に圧力を掛けて外部へ送り出せると共に、パウチ本体の充填空間内の流体が自重で注出部の注出用空間内に入り込めるように構成しているので、注出部の外面を押圧する（注出部を軽く摘んで押圧する）という単純な動作により、充填空間内の流体を安定した状態でスムーズに外部へ流出させることができる。
しかも、パウチ本体の下端部に一体形成した注出部と連通孔と自己閉鎖性流出部とを設けているだけの簡単な構造なので、流体を安定した状態でスムーズに外部へ流出させられる吊下げ式定量注出パウチを生産しやすい安価なものにすることができる。
なお、この発明の吊下げ式定量注出パウチでは、パウチ本体の充填空間内の流体が、その自重で、押圧の解除で開放した連通孔を通過して、注出部の注出用空間内に入り込める必要がある。そのため、この発明の吊下げ式定量注出パウチは、「自重で、充填空間内から、連通孔を通過し、注出用空間内に入り込む」ということに時間のかからない粘性の低い流体の容器として、例えば、風呂場で使用する場合（注出部の注出用空間から流体を繰り返し流出させる場合）に有効なものであり、粘性の高い流体の容器として、注出部の注出用空間から流体を繰り返し流出させるのは難しいと思われる。
この発明での連通孔は、その上端の開口部を大口径としていると共に、その下端の開口部を小口径とした略漏斗状に形成されており、小口径とした下端の開口部は、注出部の外面を指先で摘まんで押圧した時に塞ぐことができる大きさに形成されている（請求項２の発明）。また、連通孔は、パウチ本体および注出部との一体成型で形成している（請求項３の発明）。
このような連通孔によれば、注出部を軽く摘んで押圧するだけで、連通孔における下端の開口部を確実に押圧して連通孔を封鎖でき、充填空間との間の流体の流れを確実に阻止して、注出用空間内の流体に圧力をかけることができるようになる。即ち、パウチの製造時にパウチ本体および注出部と一体形成した簡単な構成の連通孔により、注出部を軽く摘んで押圧するだけで、その注出部内（注出用空間内）の流体に圧力をかけることができるようになる。
なお、連通孔としては、「二枚の合成樹脂フィルムの周辺を溶着することで略漏斗状に形成した連通孔用部材を、パウチ本体の充填空間と注出部の注出用空間との境界部分に設けることで形成しているもの（請求項４の発明）」と、「注出部の注出用空間内において、注出部の前記表面側となる合成樹脂フィルムに上端を設けていると共に、注出部の裏面側となる合成樹脂フィルムに下端を設けている一枚の連通孔用フィルムと、注出部の裏面側となる合成樹脂フィルムとで形成しているもの（請求項５の発明）」とが考えられる。
【発明の効果】
【０００５】
この発明によれば、吊下げ式定量注出パウチ（流体の充填空間を有するパウチ本体およびこのパウチ本体下端部に一体形成した流体の注出部）に設けた連通孔および自己閉鎖性流出部により、注出部の外面を摘んで押圧するおよびその押圧を解除するという単純な動作で、連通孔の閉鎖および開放が行えて、パウチ本体の充填空間から注出部の注出用空間に流入していた流体に圧力をかけることができる。
そのため、注出部の押圧するおよびその押圧の解除という単純動作で、パウチ内部の流体（パウチ本体の充填空間から注出部の注出用空間に流入していた流体）を、容易かつ確実に安定して注出部から流出させることができる。
しかも、パウチ本体の下端部に一体形成した注出部と連通孔と自己閉鎖性流出部とを設けているだけの簡単な構造なので、流体を安定した状態でスムーズに外部へ流出させることができる吊下げ式のパウチを生産しやすい安価なものにすることができる。
【発明を実施するための最良の形態】
【０００６】
【実施例１】
【０００７】
図１はこの発明の吊下げ式定量注出パウチを示す概略図で、図２は図１のＡ−Ａ線概略端面図で、図３および図４はこの発明の吊下げ式定量注出パウチに設けた連通孔の別形態を示す概略図である。そして、各図において、符号１は吊下げ式定量注出パウチで、２はパウチ本体で、３は注出部で、４は吊下げ用取付け部で、５は自己閉鎖性流出部で、６は連通孔である。
吊下げ式定量注出パウチ１は、図１および図２に示すように、表面側および裏面側となる合成樹脂フィルムの周辺を溶着して袋状にすることで、流体の充填空間２ａを有するパウチ本体２と、このパウチ本体２の下端部に設けられており、流体を外部への流出させる注出部３とを一体に形成していると共に、パウチ本体２の上端部に吊下げ用取付け部４を形成している。
また、注出部３は、その内部に、流体が外部への流出前に一旦流入する注出用空間３ａが設けられていると共に、その下端部に、圧力が掛けられた流体のみを外部へ通過させる自己閉鎖性流出部５が設けられている。
さらに、パウチ本体２と注出部３との境界部分には、充填空間２ａと注出用空間３ａとを連通させている連通孔６が設けられていると共に、その連通孔６は、上端の開口部６ａが充填空間２ａ内となるように形成されていると共に、下端の開口部６ｂが注出用空間３ａの上端よりも下方位置の注出用空間３ａ内となるように形成されている。、
そして、注出部３の外面の押圧により、下端の開口部６ｂを塞いで連通孔６を閉鎖し注出用空間３ａ内からの充填空間２ａ内への逆流を阻止すると共に、注出用空間３ａ内に入り込んでいた流体を圧迫して自己閉鎖性流出部５から外部へ流出させるように構成している。また、注出部３の外面の押圧の解除により、連通孔６を開放して充填空間２ａ内の流体が自重で注出用空間３ａ内に流入するように構成している。
この実施形態での吊下げ式定量注出パウチ１は、そのパウチ本体２が大容量の充填空間２ａを有すると共に、その注出部３が小容量の注出用空間３ａを有するようにして、表面側および裏面側となる合成樹脂フィルムの周辺を溶着し袋状に一体形成している。
この実施形態での自己閉鎖性流出部５は、合成樹脂フィルムの周辺を溶着して袋状にする時に、注出部３の注出用空間３ａを外部へ連通させるように非溶着部として形成した流出路５ａと、この流出路５ａおよび注出用空間３ａの境界部分に形成した屈曲部５ｂとで構成されている。
ここでの屈曲部５ｂは、図１に示すように、注出部３の注出用空間３ａ側に湾曲した略弓状に形成した屈曲線５ｃに沿って折り曲げることで形成している。そして、この自己閉鎖性流出部５は、圧力を掛けられた流体のみが、屈曲部５ｂを押しのけて、非溶着部の流出路５ａから外部へ流出するように構成されている。
この実施形態での連通孔６は、上端の開口部６ａを大口径としていると共に、下端の開口部６ｂを小口径とした略漏斗状となるように、パウチ本体２および注出部３と一体に形成している。
この実施形態での注出部３の注出用空間３ａは、連通孔６の境界線６ｃと、自己閉鎖性流出部５の屈曲線５ｃと、注出用空間３ａの外形線とに囲まれており、内部に流体が入り込んだ時に、二次曲面を構成して、容易に立体となる形状となっている。
このような構成からなるこの発明の吊下げ式定量注出パウチ１を、例えば、パウチ本体２上端部の吊下げ用取付け部４を利用して風呂場に取付け、シャワーを浴びながら、シャンプーで頭を洗う場合やボディーソープで体を洗う場合に、パウチ１（パウチ本体２の充填空間２ａ）内のシャンプーやボディーソープの流体を使用する時には、図２に示すように、パウチ１（パウチ本体２）における下端部の注出部３の外面を軽く摘んで押圧して、注出部３の注出用空間３ａ内となっている連通孔６下端の小口径の開口部６ｂを塞いで、連通孔６を閉鎖する。
この時に、例えば、注出部３の外面に摘んで押圧する部分を表記しておけば、注出部３外面の押圧時に、連通孔６下端の小口径の開口部６ｂを確実に塞ぐこと（連通孔６を確実に閉鎖すること）ができる。
そして、この注出部３の外面を押圧した時には、連通孔６が閉鎖されて注出用空間３ａから充填空間２ａへの逆流が阻止されることと、自己閉鎖性流出部５で注出用空間３ａから外部への流出が阻止されていることと、注出部３外面の押圧で注出用空間３ａの容量を減少できることにより、注出用空間３ａに入り込んでいた流体に圧力の掛けることができて、その流体を自己閉鎖性流出部５における非溶着部の流出路５ａから外部へ流出させることができる。
即ち、パウチ本体２の充填空間２ａに充填した流体（充填空間２ａから自重で連通孔６を通過して注出用空間３ａに入り込んでいた流体）を注出部３からパウチ１の外部へ流出させることができる。
なお、注出部３の外面からの押圧で連通孔６を閉鎖した時には、注出用空間３ａに入り込んでいた流体を圧迫して流出路５ａへ送ると共に、注出部３の外面からの押圧を緩めて連通孔６の開放すると、注出部３の「注出用空間３ａの変化した容量分」という「一定量」であるパウチ本体２の充填空間２ａ内の流体が、注出部３の注出用空間３ａに入り込む。
そのため、注出部３の外面を押圧するだけで、注出部３の注出用空間３ａの容量だけ、パウチ本体２の充填空間２ａ内の流体に圧力の掛けることができる。即ち、止まるところまで押すという押し方を一定にすることにより、「注出用空間３ａの押された容量分」という「一定量」の流体を注出部３から外部へ流出させることができる。
即ち、例えば、注出部３を「しごく」ことで内部の流体に圧力をかけるものに比べて、流体への圧力のかけ方を、「しごく」というような「おおまか」なものでなく、注出部３でより確実に細かく調節でき、一定量（好みの量）の流体を安定した状態でスムーズに外部へ流出させることができる。
従って、例えば、風呂場でシャワーを浴びながらでも、シャンプー等の一定量（好みの量）の流体を気楽に使用することができる。なお、「好みの量」とするには、注出部３の注出用空間３ａの容量を変えることにより設定することができる。
このように注出用空間３ａ内に入り込んでいた流体を圧迫して、自己閉鎖性流出部５の流出路５ａへ送った後に、注出部３の外面の押圧を解除した時には、連通孔６下端の小口径の開口部６ｂの押圧も解除されるので、連通孔６が開放されて、内部の流体が流出され空になった注出用空間３ａ内に、充填空間２ａ内の流体が自重で連通孔６を通過して流入する。
なお、この注出部３外面の押圧および押圧解除時における自己閉鎖性流出部５は、注出部３の外面を押圧する前（押圧を解除した時）には、表面側および裏面側の合成樹脂フィルムが密着して、流出路５ａは密着して閉鎖している。そして、注出部３の外面を押圧した時には、流出路５ａの密着する力が緩むと共に、流出路５ａへ送られてきた流体の圧力の高まりも加わることにより、流出路５ａが開放されることになる。
このように、この発明の吊下げ式定量注出パウチ１によれば、パウチ１（流体の充填空間２ａを有する袋状としたパウチ本体２とパウチ本体２の下端部に一体形成した流体の注出部３）に設けた連通孔６および自己閉鎖性流出部５によって、注出部３の外面を摘んで押圧するという単純な動作だけで、パウチ本体２の充填空間２ａ内の流体に圧力をかけて、容易かつ確実に安定して注出部３から流出させることができる。
しかも、パウチ１（流体の充填空間２ａを有する袋状としたパウチ本体２とパウチ本体２の下端部に一体形成した流体の注出部３）に設けた連通孔６および自己閉鎖性流出部５を設けただけの簡単な構造であるので、流体を安定した状態でスムーズに外部へ流出させることができる吊下げ式定量注出パウチ１を容易で安価に製造することができる。
図３および図４は、この発明の吊下げ式定量注出パウチ１における連通孔６の別形態を示すものである。
図３の連通孔６は、二枚の合成樹脂フィルムの周辺を溶着することで略漏斗状に形成した連通孔用部材７を、パウチ本体２の充填空間２ａと注出部３の注出用空間３ａとの境界部分に設けることで構成している。
この実施形態の連通孔６によれば、前述した実施形態のようにパウチ本体２および注出部３と一体に形成するものに比べて、大口径の上端開口部６ａおよび小口径の下端開口部６ｂを有する略漏斗状の孔をより確実に形成することができる。
図４の連通孔６は、注出部３の注出用空間３ａ内において、注出部３の表面側となる合成樹脂フィルムに上端を設けていると共に、注出部３の裏面側となる合成樹脂フィルムに下端を設けている一枚の連通孔用フィルム８と、注出部３の裏面側となる合成樹脂フィルムとで形成している。
また、連通孔用フィルム８は、注出部３の表面側となる合成樹脂フィルムに設ける上端が、パウチ本体２の充填空間２ａとの境界部分に位置するようにして設けている。
即ち、この実施形態での連通孔６は、注出部３の注出用空間３ａ内に別途装着した一枚の連通孔用フィルム８と、パウチ１のパウチ本体２および注出部３を一体成形している合成樹脂フィルムとで形成しており、上端の開口部６ａがパウチ本体２の充填空間２ａと注出部３の注出用空間３ａとの境界部分に位置するようにして設けられている。
この実施形態によれば、連通孔用フィルム８が、注出用空間３ａから充填空間２ａへという流体の流れに逆らう（充填空間２ａから注出用空間３ａへという流体の流れに沿う）ように、注出用空間３ａ内に斜めに配設されている。
そのため、注出部３の外面を押圧すると、充填空間２ａへ流れようとする流体に押されて、連通孔用フィルム８が注出部３の裏面側となる合成樹脂フィルムに密着し、連通孔６の形成が崩されることとなる。即ち、連通孔６の下端の開口部６ｂが塞がれて、連通孔６が閉鎖されることとなる。
また、注出部３外面の押圧を解除すると、注出用空間３ａへ流れようとする流体に押されて、連通孔用フィルム８が注出部３の裏面側となる合成樹脂フィルムから離れ、連通孔６が形成されることとなる。即ち、連通孔６の下端の開口部６ｂが開いて、連通孔６が開放されることとなる。
従って、注出部３の外面を押圧する時には、連通孔６の下端の開口部６ｂを塞ぐように押圧する必要がなく、その神経を使わず、注出部３の外面のどの部分でも、単に押圧して、注出用空間３ａ内の流体に圧力をかけるだけで、注出部３からより容易に流体を流出させることができる。
【図面の簡単な説明】
【０００８】
【図１】この発明の吊下げ式定量注出パウチを示す概略図である。
【図２】図１のＡ−Ａ線概略端面図である。
【図３】（ａ）はこの発明の吊下げ式定量注出パウチに設けた連通孔の別形態を示す概略図で、（ｂ）は（ａ）のＢ−Ｂ線概略端面図で、（ａ）のＣ−Ｃ線概略端面図である。
【図４】（ａ）はこの発明の吊下げ式定量注出パウチに設けた連通孔の別形態を示す概略端面図で、（ｂ）は（ａ）のＤ−Ｄ線概略端面図である。
【符号の説明】
【０００９】
１      吊下げ式定量注出パウチ
２      パウチ本体
２ａ    充填空間
３      注出部
３ａ    注出用空間
４      吊下げ用取付け部
５      自己閉鎖性流出機能
５ａ    流出路
５ｂ    屈曲部
５ｃ    屈曲線
６      連通孔
６ａ    大口径部
６ｂ    小口径部
６ｃ    境界線
７      連通孔用部材
８      連通孔用フィルム
【図１】
2006188278.tif 000003
【図２】
2006188278.tif 000004
【図３】
2006188278.tif 000005
【図４】
2006188278.tif 000006